(57)【要約】      （修正有）【課題】簡易な操作で展開、折りたたみができ、物品を収納して運ぶ目的にも、保管する目的にも適した収納袋を提供する。【解決方法】左右対称に対向して設けて、袋体の底面板を構成する第１底面部材と、第２底面部材と、上端が袋体の上面の対向する位置に在り、左右対称に対向して設けられる。かつ第１面部材、及び第２底面部材と互いに離して設け、袋体の側壁を支持する第１支持フレームと、第２支持フレームと、軟質で折り畳みに適した材質によってなり、上面が開口面である袋本体である。第１底面部材と、第２底面部材と、第１支持フレームと、第２支持フレームとに連結して収納袋を構成する袋本体と、袋本体の上面開口部の対向する位置にそれぞれ設けられ、互いに接着して該袋本体の開口部を開閉自在に固定する第１固定部材と、第２固定部材と、によって構成する。【選択図】図３
0003156839.tif 000002
【実用新案登録請求の範囲】
【請求項１】
左右対称に対向して設けて、袋体の底面板を構成する第１底面部材と、第２底面部材と、
上端が該袋体の上面の対向する位置に在り、左右対称に対向して設けられ、かつ該第１面部材、及び第２底面部材と互いに離して設け、該袋体の側壁を支持する第１支持フレームと、第２支持フレームと、
軟質で折り畳みに適した材質によってなり、上面が開口面である袋本体であって、該第１底面部材と、該第２底面部材と、該第１支持フレームと、該第２支持フレームとに連結して収納袋を構成する袋本体と、
該袋本体の上面開口部の対向する位置にそれぞれ設けられ、互いに接着して該袋本体の開口部を開閉自在に固定する第１固定部材と、第２固定部材と、によってなり、
該袋本体が、該第１底面部材と、該第２底面部材と、該第１支持フレームと、該第２支持フレームとによって
自在に折り畳み、展開できるように構成することを特徴とする収納袋。
【請求項２】
前記第１支持フレームと、前記第２支持フレームとの間に第３支持フレームを設け、かつ該第３支持フレームに仕切り板を設けて、前記袋本体内部の収納空間を２つに仕切ることを特徴とする請求項１に記載の収納袋。
【請求項３】
前記袋本体の上面開口部の対向する位置に、該第１固定部材と該第２固定部材とを設けるとともに、前記第３支持フレームの該仕切り板の両面の該袋本体に設けた該第１固定部材と該該第２固定部材とに対応する位置に、第３固定部材をそれぞれ設けることを特徴とする請求項２に記載の収納袋。
【請求項４】
前記第１支持フレームと、前記第２支持フレームとの間に、第３支持フレームと、第４支持フレームを設けることを特徴とする請求項１に記載の収納袋。
【請求項５】
前記第３支持フレームと、前記第４支持フレームとに、それぞれ仕切り板を設け、前記袋本体内部の収納空間を３つに仕切るとともに、該第３支持フレームに設けた該仕切り板と、該第４支持フレームに設けた該仕切り板の両面に、それぞれ前記第３固定部材を設けることを特徴とする請求項４に記載の収納袋。
【考案の詳細な説明】
【技術分野】
【０００１】
この考案は収納袋に関し、特に容易に折りたたむことのできる構造を有する収納袋に関する。
【背景技術】
【０００２】
物品を収納して運ぶ場合、通常ビニール袋などを使用する。但し、ビニール袋は容易に破損する。また、外観上好ましくない。  そこで、布、人工皮革、厚手のビニールなどを素材とした簡易な袋を用いる場合がある。但し、物品を収納して保管するにはいずれも適さない。しかも、布、人工皮革、厚手のビニールなどによる袋で、底面が形成されたものは、収納袋自体を折りたたんで収納する場合、かさ張って不便である。
【０００３】
そこで、簡易な操作で収納袋自体を折りたたんで収納でき、かつ物品の搬送にも、保管にも適した多目的タイプの収納袋の開発が望まれている。
【考案の概要】
【考案が解決しようとする課題】
【０００４】
この考案は、使用する際に、簡易な操作で展開でき、使用後も簡易な操作で折りたたむことができ、物品を収納して運ぶ目的にも、保管する目的にも適した収納袋を提供することを課題とする。
【課題を解決するための手段】
【０００５】
そこで、本考案者は、左右対称に対向して設けて、袋体の底面板を構成する第１底面部材と、第２底面部材と、上端が該袋体の上面の対向する位置に在り、左右対称に対向して設けられ、かつ該第１面部材、及び第２底面部材と互いに離して設け、該袋体の側壁を支持する第１支持フレームと、第２支持フレームと、軟質で折り畳みに適した材質によってなり、上面が開口面である袋本体であって、該第１底面部材と、該第２底面部材と、該第１支持フレームと、該第２支持フレームとに連結して収納袋を構成する袋本体と、該袋本体の上面開口部の対向する位置にそれぞれ設けられ、互いに接着して該袋本体の開口部を開閉自在に固定する第１固定部材と、第２固定部材と、によって構成する収納袋によって課題を解決できる点に着眼し、かかる知見に基づいて本考案を完成させた。
【０００６】
以下、この考案について詳述する。
請求項１に記載する収納袋は、左右対称に対向して設けて、袋体の底面板を構成する第１底面部材と、第２底面部材と、
上端が該袋体の上面の対向する位置に在り、左右対称に対向して設けられ、かつ該第１面部材、及び第２底面部材と互いに離して設け、該袋体の側壁を支持する第１支持フレームと、第２支持フレームと、
軟質で折り畳みに適した材質によってなり、上面が開口面である袋本体であって、該第１底面部材と、該第２底面部材と、該第１支持フレームと、該第２支持フレームとに連結して収納袋を構成する袋本体と、
該袋本体の上面開口部の対向する位置にそれぞれ設けられ、互いに接着して該袋本体の開口部を開閉自在に固定する第１固定部材と、第２固定部材と、によってなり、
該袋本体が、該第１底面部材と、該第２底面部材と、該第１支持フレームと、該第２支持フレームとによって
自在に折り畳み、展開できるように構成する。
【０００７】
請求項２に記載する収納袋は、請求項１における記第１支持フレームと、該第２支持フレームとの間に第３支持フレームを設け、かつ該第３支持フレームに仕切り板を設けて、前記袋本体内部の収納空間を２つに仕切る。
【０００８】
請求項３に記載する収納袋は請求項２における袋本体の上面開口部の対向する位置に、該第１固定部材と該第２固定部材とを設けるとともに、該第３支持フレームの該仕切り板の両面の該袋本体に設けた該第１固定部材と該該第２固定部材とに対応する位置に、第３固定部材をそれぞれ設ける。
【０００９】
請求項４に記載する収納袋は、請求項１における第１支持フレームと、該第２支持フレームとの間に、第３支持フレームと、第４支持フレームを設ける。
【００１０】
請求項５に記載する収納袋は、請求項４における第３支持フレームと、該第４支持フレームとに、それぞれ仕切り板を設け、前記袋本体内部の収納空間を３つに仕切るとともに、該第３支持フレームに設けた該仕切り板と、該第４支持フレームに設けた該仕切り板の両面に、それぞれ該記第３固定部材を設ける。
【考案の効果】
【００１１】
この考案による収納袋は、易な操作で収納袋自体を折りたたんで収納でき、かつ物品の搬送にも、保管にも適することから、実用的であるとともに、構造が簡単で、低コストで容易に生産することができるため、大量生産に適し、商品としての市場における競争能力を十分に具えるという利点を有する。
【図面の簡単な説明】
【００１２】
【図１】この考案による収納袋の骨組みの構造を示した説明図である。
【図２】この考案による収納袋において、底部フレームを用いた骨組みの構造を示した説明図である。
【図３】この考案による収納袋を展開した状態を示した説明図である。
【図４】この考案によるリードフレームの構造を示した説明図である。
【図５】この考案による収納袋を畳んだ状態を示した説明図である。
【図６】他の実施の形態による収納袋の骨組みの構造を示した説明図である。
【図７】他の実施の形態による収納袋を展開した状態を示した説明図である。
【図８】他の実施の形態による収納袋における手提げ部を上方から引っ張った状態を示した説明図である。
【図９】他の実施の形態による収納袋を畳んだ状態を示した説明図である。
【図１０】別の実施の形態による収納袋を展開した状態を示した説明図である。
【考案を実施するための形態】
【００１３】
図１に、この考案による収納袋を構成する骨組みを開示する。図面によれば、第１底板１Ａと、第２底板１Ｂと、第１支持フレーム２Ａと、第２支持フレーム２Ｂとによって骨組みを構成する。
【００１４】
第１底板１Ａと、第２底板１Ｂとは、それぞれ適宜な強度と硬度を有する板材によってなり、左右対称に対向して設けて、収納袋の底面板を構成する。
【００１５】
第１支持フレーム２Ａと、第２支持フレーム２Ｂとは、それぞれ竿状の部材を湾曲して形成し、左右対称に対向して設ける。また、第１支持フレーム２Ａと第２支持フレーム２Ｂと、第１底板１Ａと第２底板１Ｂとは、互いに離して設け、収納袋の側壁を支持する。
【００１６】
第１底板１Ａと、第２底板１Ｂとは、図２に開示するように、第１底部フレーム１Ｃと、第２底部フレーム１Ｄであってもよい。第１底部フレーム１Ｃと第２底部フレーム１Ｄとは、第１支持フレーム２Ａと第２支持フレーム２Ｂと同様に竿状の部材を湾曲させて形成する。
【００１７】
この考案による収納袋は、図３に開示するように、図１、もしくは図２に開示する骨組みに、上面が開口面である袋本体３を設けてなる。袋本体３は軟質の布材を選択する。但し、折り畳みに適した材質であれば、如何なる材質であってもよい。
【００１８】
第１底板１Ａと、第２底板１Ｂとを用いる場合、袋本体３の底面を二重にし、間に第１底板Ａと、第２底板Ｂとを設ける。第１底部フレーム１Ｃと、第２底部フレーム１Ｄを用いる場合も、袋本体３の底面を二重にし、第１底部フレーム１Ｃと、第２底部フレーム１Ｄは二重の底面の間にあって、袋本体３の底面の内周に沿って設ける。よって、この考案による収納袋は、折り畳んだ状態から、骨組みを展開することで、袋本体３の底面を展開して平面状にすることができる。
【００１９】
また、第１支持フレーム２Ａと第２支持フレーム２Ｂとは、それぞれ傾斜させて設ける。この場合、袋本体３の胴体も二重にし、間に第１支持フレーム２Ａと第２支持フレーム２Ｂとを設け固定するとともに、第１支持フレーム２Ａと第２支持フレーム２Ｂの上端を袋本体３の上面の対向する位置に設ける。
【００２０】
したがって、第１底板１Ａ、もしくは第１底部フレーム１Ｃと、第２底板２Ｂ、もしくは第２底部フレーム１Ｄと、第１支持フレーム２Ａと、第２支持フレーム２Ｂとを展開することによって、袋本体３を展開して立体形状の袋体とすることができる。
【００２１】
また、第１底板１Ａ、もしくは第１底部フレーム１Ｃの一端を支点として他端を第１支持フレーム２Ａの方向に回転させ、第２底板１Ｂもしくは第２底部フレーム１Ｄの一端を支点として他端を第２支持フレーム２Ｂの方向に回転させると、図４、５に開示するように、袋本体３を折り畳み、平たくすることができる。
【００２２】
袋本体３は、上面開口部の対向する位置に、互いに吸着するか、もしくは粘着する固定部材３Ａ、固定部材３Ｂをそれぞれ設ける。よって、袋本体３を折り畳んで平板状にした場合、固定部材３Ａと固定部材３Ｂとによって、本体３の開口部を開閉自在に固定することができる。固定部材３Ａと固定部材３Ｂとは、面ファスナーか、もしくは磁石を用いることができる。
【００２３】
図６に、他の実施の形態を開示する。図面によれば、骨組みを第１底板１Ａと、第２底板１Ｂと、第１支持フレーム２Ａと、第２支持フレーム２Ｂと、第３支持フレーム２Ｃと、によって構成する。
【００２４】
第１底板１Ａと第２底板１Ｂは、前記の実施の形態と同様に、それぞれ適宜な強度と硬度を有する板材によってなり、左右対称に対向して設けて、収納袋の底面板を構成する。また、図２に開示するように、第１底板１Ａと第２底板１Ｂは、第１底部フレーム１Ｃと第２底部フレーム１Ｄで代替してもよい。
【００２５】
第１支持フレーム２Ａと、第２支持フレーム２Ｂと、第３支持フレーム２Ｃとは、竿状の部材を湾曲させて形成する。また、第１支持フレーム２Ａと、第２支持フレーム２Ｂは、左右対称に対向して設け、下端は互いに距離を置いて設ける。
【００２６】
第３支持フレーム２Ｃは、第１支持フレーム２Ａと、第２支持フレーム２Ｂとの間に設け、その下端は。第１支持フレーム２Ａと、第２支持フレーム２Ｂとの下端と距離を置く。
【００２７】
上述する骨組みには、図７に開示するように袋体３を設ける。第１底板Ａと、第２底板Ｂとを用いる場合、袋本体３の底面を二重にし、間に第１底板Ａと、第２底板Ｂとを設ける。第１底部フレーム１Ｃと、第２底部フレーム１Ｄを用いる場合も、袋本体３の底面を二重にし、第１底部フレーム１Ｃと、第２底部フレーム１Ｄは二重の底面の間にあって、袋本体３の底面の内周に沿って設ける。よって、この考案による収納袋は、折り畳んだ状態から、骨組みを展開することで、袋本体３の底面を展開して平らにすることができる。
【００２８】
また、第１支持フレーム２Ａと第２支持フレーム２Ｂとは、それぞれ傾斜させて設ける。この場合、袋本体３の胴体も二重にし、間に第１支持フレーム２Ａと、第２支持フレーム２Ｂと、第３支持フレーム２Ｃとを設け固定するとともに、第１支持フレーム２Ａと第２支持フレーム２Ｂの上端を袋本体３の上面の対向する位置に設け、かつ第３支持フレーム２Ｃは第１支持フレーム２Ａと、第２支持フレーム２Ｂとの間に直立させて設ける。
【００２９】
したがって、第１底板１Ａ、もしくは第１底部フレーム１Ｃと、第２底板２Ｂ、もしくは第２底部フレーム１Ｄと、第１支持フレーム２Ａと、第２支持フレーム２Ｂと、第３支持フレーム２Ｃとを展開することによって、袋本体３を展開して立体形状の袋体とすることができる。
【００３０】
また、第１底板１Ａ、もしくは第１底部フレーム１Ｃの一端を支点として他端を第１支持フレーム２Ａの方向に回転させ、第２底板１Ｂもしくは第２底部フレーム１Ｄの一端を支点として他端を第２支持フレーム２Ｂの方向に回転させる、さらに第１支持フレーム２Ａと第２支持フレーム２Ｂの一端を支点として他端を第３支持フレーム２Ｃの方向に回転させると、図８、９に開示するように、袋本体３を折り畳み、平板状にすることができる。
【００３１】
また、第３支持フレーム２Ｃには仕切り板３２を設ける。よって、袋本体３内部の空間を二つに仕切ることができる。但し、第３支持フレーム２Ｃに仕切り板３２を設けなくてもよい。この場合は、袋本体３内部に大きな一つの収納空間が形成される。
【００３２】
袋本体３は、上面開口部の対向する位置に、それぞれ固定部材３Ａを設ける。さらに、第３支持フレーム２Ｃに設けた仕切り板３２の両面で、それぞれの固定部材３Ａに対応する位置に固定部材３Ｂを設ける。よって、袋本体３を折り畳んで平板状にした場合、固定部材３Ａと固定部材３Ｂとによって、本体３の開口部を開閉自在に固定することができる。固定部材３Ａと固定部材３Ｂとは、面ファスナーか、もしくは磁石を用いることができる。
【００３３】
また、第３支持フレーム２Ｃの上端には、手提げ部３１を設ける。袋本体３を折り畳む場合に手提げ部３１を持って折り畳みの操作を行なうと便利である。
【００３４】
図１０に、別の実施の形態を開示する。図面によれば、袋本体３は、図３に開示する袋本体３に比して長手方向の長さを増し、骨組みは、第１支持フレーム２Ａと第２支持フレーム２Ｂとの間に、第３支持フレーム２Ｃと、第４支持フレーム２Ｄとを設ける。第３支持フレームＣと第４支持フレーム２Ｄには、選択的に仕切り版３２を設けることによって、袋本体３内の空間を仕切り、３つの収納空間を形成することができる。
【００３５】
袋本体３は、上面開口部の対向する位置に、それぞれ固定部材３Ａを設ける。さらに、第３支持フレーム２Ｃと第４支持フレーム２Ｄに設けた仕切り板３２には、一方の面で、それぞれの固定部材３Ａに対応する位置に固定部材３Ｂを設けるとともに、他方の面には、対応する位置に、それぞれ固定部材３Ａと固定部材３Ｂとを設ける。よって、袋本体３を折り畳んで平板状にした場合、固定部材３Ａと固定部材３Ｂとによって、本体３の開口部を開閉自在に固定することができる。
【００３６】
以上はこの考案の好ましい実施の形態であって、この考案の実施の範囲を限定するものではない。よって、当業者のなし得る修正、変更などであって、この初の精神の下においてなされ、この考案に対して均等の効果を有するものは、いずれもこの実用新案登録請求の範囲に属するものとする。
【符号の説明】
【００３７】
１Ａ              第１底板
１Ｂ              第２底板
１Ｃ              第１底部フレーム
１Ｄ              第２底部フレーム
２Ａ              第１支持フレーム
２Ｂ              第２支持フレーム
２Ｃ              第３支持フレーム
２Ｄ              第４支持フレーム
３           袋本体
３Ａ              固定部材
３Ｂ              固定部材
３１              手提げ部
３２              仕切り板
【図１】
0003156839.tif 000003
【図２】
0003156839.tif 000004
【図３】
0003156839.tif 000005
【図４】
0003156839.tif 000006
【図５】
0003156839.tif 000007
【図６】
0003156839.tif 000008
【図７】
0003156839.tif 000009
【図８】
0003156839.tif 000010
【図９】
0003156839.tif 000011
【図１０】
0003156839.tif 000012